(57)【特許請求の範囲】
【請求項１】
通信システム中のアクセスポイントからのリバースアクティビティビットを受信し、
フィルタを通ったリバースアクティビティビットを形成するためにこのリバースアクティビティビットをデジタルフィルタに通し、これにより前記リバースアクティビティビットの値が累積され、
このフィルタを通ったリバースアクティビティビットを閾値と比較し、
この比較の結果が、通信システム中の干渉が小さいことを示す場合には予め設定された複数のデータレート設定モードからデータレートを少なくとも１段階増加させるモードを選択し、大きいことを示す場合にはデータレートを少なくとも１段階減少させるモードを選択し、
選択されたモードに応じてデータレートを決定する、
アクセス端末のリバースリンク通信のデータレートを決定するための方法。
【請求項２】
通信システム中のアクセスポイントからのリバースアクティビティビットを受信し、
前記リバースアクティビティビットをデジタルフィルタに通してフィルタを通ったリバースアクティビティビットを形成し、
このフィルタを通ったリバースアクティビティビットに基づいてデータレートを決定し、
前記アクセス端末がアイドルモードであるかを決定し、
前記リバースアクティビティビットの実際の値に関係なく前記アクセス端末がアイドルモードのときに前記リバースアクティビティビットのノンビジー状態値を前記デジタルフィルタに通す、
アクセス端末のリバースリンク通信のデータレートを決定するための方法。
【請求項３】
通信システム中のアクセスポイントからのリバースアクティビティビットを受信するための手段と、
フィルタを通ったリバースアクティビティビットを形成するためにこのリバースアクティビティビットをデジタルフィルタに通し、これにより前記リバースアクティビティビットの値が累積される、手段と、
このフィルタを通ったリバースアクティビティビットを閾値と比較する手段と、
この比較の結果が、通信システム中の干渉が小さいことを示す場合には予め設定された複数のデータレート設定モードからデータレートを少なくとも１段階増加させるモードを選択し、大きいことを示す場合にはデータレートを少なくとも１段階減少させるモードを選択する手段と、
選択されたモードに応じてデータレートを決定する手段と、
を具備するアクセス端末のリバースリンク通信のデータレートを決定する装置。
【請求項４】
通信システム中のアクセスポイントからのリバースアクティビティビットを受信するための手段と、
フィルタを通ったリバースアクティビティビットを形成するためにこのリバースアクティビティビットをデジタルフィルタに通す手段と、
このフィルタを通ったリバースアクティビティビットに基づいてデータレートを決定する手段と、
前記アクセス端末がアイドルモードであるか否かを決定する手段と、
そのアクセス端末が前記リバースアクティビティビットの実際の値の如何にかかわらずにアイドルモードであるときは前記リバースアクティビティビットのノンビジー状態値を前記デジタルフィルタに通す手段と、
を具備するアクセス端末のリバースリンク通信のデータレートを決定する装置。
【請求項５】
通信システム中のアクセスポイントからのリバースアクティビティビットを受信するための受信機と、
フィルタを通ったリバースアクティビティビットを形成するためにこのリバースアクティビティビットをデジタルフィルタに通し、これにより前記リバースアクティビティビットの値を累積し、このフィルタを通ったリバースアクティビティビットを閾値と比較し、この比較の結果が、通信システム中の干渉が小さいことを示す場合には予め設定された複数のデータレート設定モードからデータレートを少なくとも１段階増加させるモードを選択し、大きいことを示す場合にはデータレートを少なくとも１段階減少させるモードを選択し、選択されたモードに応じてデータレートを決定するプロセッサと、
を具備するアクセス端末のリバースリンク通信のデータレートを決定する装置。
【請求項６】
通信システム中のアクセスポイントからのリバースアクティビティビットを受信するための受信機と、
フィルタを通ったリバースアクティビティビットを形成するためにこのリバースアクティビティビットをデジタルフィルタに通し、このフィルタを通ったリバースアクティビティビットに基づいてデータレートを決定するためのプロセッサとを具備し、
前記プロセッサは、前記アクセス端末がアイドルモードであるか否かを決定するための命令を含み、
更に、前記プロセッサは、前記リバースアクティビティビットの実際の値の如何にかかわらずに、そのアクセス端末がアイドルモードであるときは前記リバースアクティビティビットのノンビジー状態値を前記デジタルフィルタに通す、
アクセス端末のリバースリンク通信のデータレートを決定する装置。
【請求項７】
通信システム中のアクセスポイントからのリバースアクティビティビットを受信し、
フィルタを通ったリバースアクティビティビットを形成するためにこのリバースアクティビティビットをデジタルフィルタに通し、
前記アクセス端末がアイドルモードであるか否かを決定し、
そのアクセス端末がアイドルモードであるときは前記リバースアクティビティビットのノンビジー状態値を前記デジタルフィルタに通し、
前記フィルタを通ったリバースアクティビティビットを閾値と比較し、
この比較に基づいて前記リバースリンク通信データレートの増加叉は減少のアグレッシブネスレベルの基準セットを定義するためのリバースリンクデータレート決定モードを決定し、
前記リバースリンクデータレート決定モードに対応する前記フィルタを通ったリバースアクティビティビットに基づいて前記データレートを決定する、
アクセス端末のリバースリンク通信のデータレートを決定する方法。
【請求項８】
通信システム中のアクセスポイントからのリバースアクティビティビットを受信する手段と、
フィルタを通ったリバースアクティビティビットを形成するためにこのリバースアクティビティビットをデジタルフィルタに通す手段と、
前記アクセス端末がアイドルモードであるか否かを決定する手段と、
そのアクセス端末がアイドルモードであるときは前記リバースアクティビティビットのノンビジー状態値を前記デジタルフィルタに通す手段と、
前記フィルタを通ったリバースアクティビティビットを閾値と比較する手段と、
この比較に基づいて前記リバースリンク通信データレートの増加叉は減少のアグレッシブネスレベルの基準セットを定義するためのリバースリンクデータレート決定モードを決定する手段と、
前記リバースリンクデータレート決定モードに対応してリバースアクティビティビットに基づいて前記データレートを決定する手段と、
を具備するアクセス端末のリバースリンク通信のデータレートを決定する装置。
【請求項９】
通信システム中のアクセスポイントからのリバースアクティビティビットを受信し、
フィルタを通ったリバースアクティビティビットを形成するためにこのリバースアクティビティビットをデジタルフィルタに通し、
このフィルタを通ったリバースアクティビティに基づいてデータレートを決定し、
前記フィルタを通ったリバースアクティビティビットに基づいてリバースリンクデータレート決定のモードを選択して選択モードに設定し、
前記データレート決定のステップは、前記リバースアクティビティビットに対してこの選択されたモードを適用するステップを含み、
前記デジタルフィルタに通すステップは、
前記アクセス端末がアイドル状態でないときには前記リバースアクティビティビットを前記デジタルフィルタに通し、前記リバースアクティビティビットの実際の値にかかわらず前記アクセス端末がアイドル状態のときには前記リバースアクティビティビットが非ビジー状態であるときに対応する値を前記デジタルフィルタに通すステップを含む、
アクセス端末のリバースリンク通信のデータレートを決定する方法。
【請求項１０】
「ＣＤＭＡ通信システム中のアクセスポイントからのリバースアクティビティビットをアクセス端末で受信し、
フィルタを通ったリバースアクティビティビットを形成するために、このリバースアクティビティビットをデジタルフィルタに通し、これにより前記リバースアクティビティビットの値が累積され、
このフィルタを通ったリバースアクティビティビットを閾値と比較し、
この比較の結果が、ＣＤＭＡ通信システム中の干渉が小さいことを示す場合には予め設定された複数のデータレート設定モードからデータレートを少なくとも１段階増加させるモードを選択し、大きいことを示す場合にはデータレートを少なくとも１段階減少させるモードを選択し、
選択されたモードに応じてデータレートを決定し、
フィルタを通したリバースアクティビティビットを用いることにより予め受信された値からセクタローディングの指示を見積もり、
このセクタローディングの指示に基づいて、クローズドループリソースアロケーション（ＣＬＲＡ）のレートリミットを決定する、
符号分割多重接続（ＣＤＭＡ）通信システムのアクセス端末のリバースリンク通信のデータレートについてＣＬＲＡレートリミットを決定する方法。
【請求項１１】
更に、前記セクタローディングの指示に基づいてリバースリンクデータレート決定のモードを選択して選択モードに設定するステップを有し、
前記ＣＬＲＡレートリミット決定のステップは、前記選択されたモードに応じてリバースアクティビティビットを処理するステップを含む、請求項１０に記載の方法。
【発明の詳細な説明】
【技術分野】
【０００１】
本発明は電気通信の分野、特に無線電気通信システムにおけるデータ送信性の向上のためのシステムと方法に関する。
【背景技術】
【０００２】
代表的な無線音声／データ通信システムの各基地局にはカバーエリアが付属している。このエリアはセクタと称されている。このセクタ内の移動局はデータを基地局に送信するとともに基地局からデータを受信する。特にデータ通信の関連においては基地局はアクセスネットワークと称され、移動局はアクセス端末と称される。アクセス端末は一つ以上のアクセスネットワークと同時に通信を行い、アクセス端末の移動に伴ってそれと通信を行うアクセスネットワークが順次切り換えられる。
【０００３】
特定のアクセスネットワークと特定のアクセス端末との間の通信のパラメータはそれらの相対位置および相互間で送受信される信号の品質と強度による。例えば、アクセス端末がアクセスネットワークから遠く離れると、アクセス端末が受信するアクセスネットワークからの信号の強度が低下する。従って、受信データのエラー率が高まる。アクセスネットワークは主として距離の増加によるエラーの増加をアクセス端末へのデータレートを低下させることで補償している。これにより、アクセス端末はアクセスネットワークからの信号の受信と復号動作を少ないエラーで可能とする。アクセス端末がアクセスネットワークに近づくと、信号強度が増加してアクセス端末へのデータの伝送を高いデータレートでできるようになる。
【０００４】
同様に、アクセス端末がアクセスネットワークから遠くに移動すると、アクセスネットワークにより受信されるアクセス端末からの信号の強度が低下し、エラーが生じる率が高くなる。アクセスネットワークと同様に、アクセス端末でもアクセスネットワークとの距離が離れるに従ってそのデータレートを低下させることで信号を低いエラーで受信できるように補償している。アクセス端末はさらにアクセスネットワークから要求があったときはその電力出力を増加させてエラー率を低下させる。更にアクセス端末がアクセスネットワークに近接すると信号強度が高まって高いデータレートが可能となる。
【０００５】
あるシステムにおいてはアクセス端末がアクセスネットワークへのデータ伝送レートを決定する。このレートは多くのファクタによって決定される。主なファクタは、アクセス端末とアクセスネットワークとが通信できる絶対最大レート、アクセス端末の許容電力出力に基づく最大レート、アクセス端末が各々キューとして持っているデータ量により決定される最大レート、およびレートのランプアップ限界による許容最大レートなどである。このシステムにおいて、これらのレートは選択されたデータレートを越えることができないハード限界を示している。換言すれば、選択されたデータレートはこれら４つのデータレートの最小値より高くない。
【０００６】
これらのレートの内の最初の二つ（絶対レートと電力限界最大レート）のレートは、システムの物理的な限界とアクセス端末では制御できないことに基づいている。３番目と４番目のレート（データによる決定およびランプアップ限界による）は変更可能であり、またアクセス端末における特定の有効な条件に基づいてダイナミックに決定される。
【０００７】
データにより決定されるレートは本質的にアクセス端末による伝送のために用意されたデータ量によって決定できる最大のレートである。例えば、アクセス端末がその伝送キューとして１０００ビットを持っていれば、３８．４ｋｐｂｓのデータレート（１０２４ビット/フレーム）が使用されるが、それより高い７６．８ｋｐｂｓのレート（２０４８ビット/フレーム）は使用できない。時間のフレームが単位時間の中で規定され、例えば、ＩＳ−８５６によって定義されたｃｄｍａ２０００  １ｘＥＶ−ＤＯシステムではひとつの時間のフレームは２６．６６６ｍｓである。アクセス端末の伝送キューの中にデータが無い場合には、伝送レートは規定されない。
【０００８】
急激なランプアップが他のアクセス端末により検知される干渉を急に増加させること、およびこれらのアクセス端末の動作内容を低下させることなどを考慮に入れて、ランプアップ制限レートは許容される最大レートである。もしも各アクセス端末のランプアップが制限されると、それが原因となる干渉のレベルがより緩やかに変化し、他のアクセス端末が干渉の増加に対応するようにその動作データレートおよび送信電力をより簡単に調整できるようになる。このランプアップ制限レートは更に計算処理されてデータレートのランプダウンを制御することが出来ることが分かる。全体としての効果はデータレートの変動を広く且つ高速で減少させることができ、これによりシステム中のアクセスネットワークとアクセス端末の全体の動作を安定させることである。
【０００９】
ランプアップ制限レートの変化（データレートの増加、減少のいずれに関しても）が制御されるが、データ適正化レートは制御されない。もしアクセス端末が高速レートに適応する充分なデータを突然持つと、データ適正化レートは突然増加する。もしアクセス端末からデータが消失すると、データ適正化レートは急激にゼロに低下する。データ適正化レートの突然の増加はランプアップ制限レートが制御されているので何ら問題とはならない。上述の４つのレートの最小値が選択されたデータレートの最大値を設定するので、ランプアップ制限レートはこの状態で制御される。しかしながら、データ適正化レートの突然の減少は、このデータ適正化レートが他のいずれのレートより低いことに起因して制御（次のフレームでデータ送信のために選択されたデータレートは４つのレートの中の最小値であることを考慮して）されることから、実際のデータレートが低下される原因となる。
【００１０】
従来のシステムにおいては、アクセス端末が送信すべきデータを持たない場合、データが送信されないことになる。これは明らかに直感的なことであり、従来の技術では有用なバンド幅を無用のデータの送信に使わないようにすることが指示されている。データレートを急激に低下させる（例えばゼロに）ことから生じる問題の一つは、上述したように、データレートを再び上昇させるときに多少の時間を必要とすることである。このように、データレートを低下させて再び上昇させる時にデータ送信の遅れが生じる。この遅れは特にデータを突然大量に受信する場合または個々に独立のデータを受信する場合に生じる可能性がある。このようなタイプのデータの一つはリアルタイムビデオデータであり、６０−７０ミリセカンドの間隔の送信キューで５００−１０００バイトのパケットのデータを受信する。このリアルタイムビデオデータは送信の遅れが特に目立つデータであり、そのために遅れが許されないデータである。ネットワークを用いたゲームは他のアプリケーションの一つであり、ここではデータの受信時間が一定ではなく、かつデータレーテンシイは重要なパフォーマンスの目安となる。従って、急激なデータレートのランプアップに対してデータレートの適応決定を行い、かつ通信システムにおける不要な影響を少なくするための方法と装置が望まれている。
【発明の開示】
【００１１】
アクセス端末のデータレートが他のアクセス端末に対する過剰な干渉の形成を防止するようにランプアップ制限レートを設計するが、更に他の干渉が過剰でない場合がある。この発明の種々の態様によれば、セクタ中で数台のアクセス端末が動作中であることを検知し、特定のアクセス端末に対してランプアップ制限レートにより許容された以上の値にデータレートを設定することができる。セクタ中にいくつかの動作中のアクセス端末があると、ランプアップ制限レートによって設定されたランプアップ制限はシステム全体の動作内容を低下させる。例えば、セクタ内の動作中のアクセス端末の動作内容を定性的に決定し、リバースリンクアクティビティビットとその値の変動を監視することによって、この発明の種々の態様によれば、システム全体の動作内容に実質的な影響を与えないで、ランプアップ制限レートによりデータレートの急激なランプアップのためにそのランプアップを最大にできる。
【００１２】
広義には、この発明は、バースト状のデータの伝送のためにデータレートの早急なランプアップを可能とするようにリバースリンクデータ伝送レートを算出することにより、無線通信システムのデータ伝送の動作内容を向上させるためのシステムと方法とを具備する。この発明の一実施形態によれば、アクセス端末からリバースリンクを介してアクセスネットワークへのデータ伝送のレートを決定するように構成された無線通信システムが提供される。このアクセス端末は、データを伝送する為の伝送サブシステムとこの伝送サブシステムに結合されてその制御情報を供給するように構成されたプロセッサとを含む。特に、このプロセッサは伝送サブシステムがリバースリンクを介してデータを伝送できるデータレートを決定するように構成される。一実施形態において、このプロセッサはデータ適正化レートと閉ループリソース割当てレートとを計算するように構成される。このプロセッサは更に、最小データ適正化レートと、閉ループリソース割当てレートと、絶対最大レートと、電力制限レートとを次の伝送フレームのためのデータ伝送レートとして選択する。このプロセッサは、リバースアクティビティビット（ＲＡＢ）が所定の臨界値に達したときに、閉ループリソース割当てレートを制御して最大レベルに設定する。例えば、この発明の色々な実施形態においてリバースリンク上での通信が可能であり、ＲＡＢが特定の臨界値に達したときにデータ伝送のためのデータレートにおけるクイックスタートが可能である。このことは一つの実施形態の中でプロセッサ中のデジタルフィルタにＲＡＢと関連した統計データを保持することにより達成できる。
【００１３】
この発明の一実施形態によるアクセス端末からアクセスネットワークへのリバースリンク上のデータ伝送における動作内容の向上のための方法では、第１のデータ伝送レートを計算し、この第１のデータ伝送レートでリバースリンクによりデータを伝送し、無線通信システムがノットビジー状態であることを示す所定の統計臨界値になって、アクセス端末がＲＡＢを一定時間以上に亘って受信したときに、第１のデータ伝送レートを許容最大レベルにランプアップする。この実施形態において、この許容最大レベルは他のレート決定パラメータにより制限するようにしてもよい。
【００１４】
この発明の一実施形態は、アクセスネットワークへのリバースリンク上のデータ伝送レートを決定するようにアクセス端末が構成された無線通信システムを具備する。このアクセス端末は、データ伝送のための伝送サブシステムとこの伝送サブシステムに結合されてその制御情報を与えるように構成されたプロセッサとを含む。特に、プロセッサは、第１データ伝送レートを計算し、この第１データ伝送レートでデータをリバースリンク上に伝送し、無線通信システムがノットビジー状態であることを示す所定の統計臨界値になって、アクセス端末がＲＡＢを一定時間以上に亘って受信したときに、第１のデータ伝送レートを許容最大レベルにランプアップするように構成される。この実施形態において、この許容最大レベルは他のレート決定パラメータにより制限するようにしてもよい。
【００１５】
アクセス端末のリバースリンク通信のデータレートを決定するための方法と装置では、通信システムのアクセスポイントからのリバースアクティビティビット（ＲＡＢ）を受信し、このＲＡＢをデジタルフィルタに供給してフィルタを通ったＲＡＢを形成する。一つの実施形態において、リバースリンクデータレートはＲＡＢのフィルタを通した値に基づいて決定される。更に、アクセス端末のプロセッサはこのアクセス端末がアイドルモードであるかを決定し、アクセス端末がアイドルモードであるときはＲＡＢのノンビジー状態値をデジタルフィルタに供給する。フィルタを通ったＲＡＢは閾値と比較されてリバースリンクデータレート決定に基づくモードを決定する。このモードはリバースリンク通信データレートを増加叉は減少させるアグレッシブネスレベルのための一組の臨界値を決定する。従ってプロセッサは、決定されたモードに応じてフィルタを通ったリバースアクティビティビットに基づいてデータレートを決定する。
【００１６】
この発明の他の実施形態はソフトウエアアプリケーションを有する。このソフトウエアアプリケーションはアクセス端末に用いられたコンピュータまたは他のデータプロセッサにより読み取り可能な媒体に具えられる。この媒体は、フロッピー（登録商標）ディスク、ハードディスクドライブ、ＣＤ−ＲＯＭ、ＤＶＤ−ＲＯＭ、ＲＡＭ、ＲＯＭなどを含む。この媒体はこれまで概略を説明したこの発明の方法をコンピュータ叉はデータプロセッサにより実行させるために構成された命令を含む。このコンピュータが読み取り可能な媒体はアクセス端末の一部を構成するＲＡＭ叉は他のメモリを有することもできる。このアクセス端末のプロセッサはこの明細書に記載された方法を実現することができる。
【００１７】
この他に多くの実施形態が可能である。
【００１８】
この発明の他の目的と効果は添付の図面を参照した以下の詳細な説明を読むことにより明らかになるであろう。
【００１９】
この発明の実施形態は多くの変更や変形が可能であるが、以下にその内の幾つかの実施形態の説明を図面を参照して行う。しかしながら、以下の図面と説明はこの発明を限定することは意図されてないことは勿論である。以下の説明は請求の範囲に述べられたこの発明の範囲内における全ての変形例と均等例と代替例とをカバーするものである。
【発明を実施するための最良の形態】
【００２０】
この発明は広く言えばリバースリンクのためのデータ伝送レートの増加、減少を制御することによる無線通信システムのデータ伝送の動作内容を向上させるシステムと方法を含んでいる。
【００２１】
図１にはこの発明の一実施形態の無線通信システムの一部を示す。この実施形態において、このシステムは複数のアクセスネットワーク１２と複数のアクセス端末１４とを有する。各アクセスネットワーク１２はそれを取り囲むアクセス端末１４と通信を行う。アクセス端末１４は一つのセクタ内を移動するか、あるいは一つのネットワークに関連したセクタから他のアクセスネットワークに関連した他の異なるセクタに移動する。ここでは、通信可能範囲はセクタ１６である。これらのセクタは実際には多少不規則なもので、他のセクタと重複している場合もあるが、この図では点線及び破線で示したように概ね構成されている。説明の簡単のために、アクセスネットワーク、アクセス端末、及びセクタの一つにのみ参照符号を付してある。
【００２２】
図２にはこの実施形態の無線通信システムの二つの隣接セクタ内のアクセスネットワークとアクセス端末とをより詳細に示す。このシステムにおいて、セクタ２０は一つのアクセスネットワーク２２と数個のアクセス端末２４とを含む。セクタ３０は一つのアクセスネットワーク３２と一つのアクセス端末３４とを含む。アクセスネットワーク２２，３２はアクセス端末２４，３４に対して以下フォワードリンク（ＦＬ）と称する伝送路を介してデータを伝送する。アクセス端末２４，３４はリバースリンク（ＲＬ）を介してアクセスネットワーク２２，３２に対してデータを送り返す。
【００２３】
図３には一つの実施形態におけるアクセス端末の構成を機能ブロックとして示す。この実施形態においてアクセス端末は送信サブシステム４４と受信サブシステム４６とに結合されたプロセッサ４２を有する。送信サブシステム４４と受信サブシステム４６は共用アンテナ４８に結合される。プロセッサ４２はデータを受信サブシステム４６から受け、このデータを処理し、処理したデータを出力装置５０を介して出力する。プロセッサ４２は更に、データソース５２からのデータも受信し、このデータを送信するために処理する。処理されたデータは送信サブシステム４４に供給されリバースリンクを介して送信される。受信サブシステム４６とデータソース５２からのデータの処理に加えて、プロセッサ４２はアクセス端末の色々なサブシステムを制御するように構成される。特に、プロセッサ４２は送信サブシステム４４を制御する。アクセス端末における以下に説明する機能はプロセッサ４２において行われる。メモリ５４はプロセッサ４２に結合され、プロセッサにおいて用いられるデータを格納する。
【００２４】
一つの実施形態において、システムとしてはｃｄｍａ２０００  １ｘＥＶ−ＤＯシステムが用いられる。このシステムの主な特徴は公知のＩＳ−８５６データ通信スタンダードに定義されている。このスタンダードは符号分割多重接続（ＣＤＭＡ）スタンダードのＩＳ−９５ファミリーに基づいている。名称“１ｘＥＶ−ＤＯ”はｃｄｍａ２０００ファミリー（“１ｘ”）およびデータ最適化（“ＤＯ”）動作のためのスタンダード（“ＥＶ”）の発展に関連して付されている。１ｘＥＶ−ＤＯシステムは無線インターネット接続のために主として最適化され、このためにフォワードリンク上における高いデータスループットが望ましい。    
【００２５】
１ｘＥＶ−ＤＯシステムはフォワードリンク上で３８．４ｋｂｐｓから２．４Ｍｂｐｓ（ゼロレート以外に）までの１２の異なる所定データレートの一つでデータを通信するように設計される。これらの所定データレートの夫々に対応するデータパケット構造が規定（パケット長、変調形式、などにより）される。リバースリンク上の通信が９．６ｋｂｐｓから１５３．６ｋｂｐｓ（ゼロレート以外に）までの５個の異なるデータレートの一つにより行われる。これらのデータレートの夫々についてもデータパケット構造が規定される。
【００２６】
この発明は主としてリバースリンクに関係するものである。従って、リバースリンクのためのデータレートは以下のように設定される。
【００２７】
レート                   データレート
指標 Ｋｂｐｓ ビット/フレーム
０                   ０                    ０
１               ９．６                ２５６
２             １９．２                ５１２
３             ３８．４              １０２４
４             ７６．８              ２０４８
５            １５３．６              ４０９６
以下の説明を簡単にするために、リバースリンクデータレートは秒毎叉はフレーム毎のビット数で表す代わりに上記のレート指標により表す。
【００２８】
上述したように、この１ｘＥＶ−ＤＯに基づくシステムはＣＤＭＡスタンダードによって構成されている。従って、リバースリンクを介して伝送されるデータは符号分割多重の形式となっている。即ち、各アクセス端末におけるデータは対応する符号により識別される。各符号は通信チャンネルを規定する。従って、アクセス端末の各々叉はすべてのアクセス端末からのデータは同じ時間に送信でき、アクセスネットワークは符号を用いることで異なるデータソースを区別できる。
【００２９】
符号分割多重接続（ＣＤＭ）通信は干渉制限方式である。換言すれば、送信できるデータ量は送信環境に存在する干渉の量により制限されることになる。背景叉は熱雑音に起因する干渉が一定量あるが、アクセス端末送信に伴う干渉の主たる原因はその通信エリアにある他のアクセス端末にある。もし他の数個のアクセス端末が存在しても、それらがデータの伝送を殆どしていなければ干渉は殆ど無く、データを高いデータレートで送信できる可能性がある。一方、多くのアクセス端末があり、しかもそれらが大量のデータのかたまりを送信しているときは干渉レベルが高く、リバースリンク伝送には極めて低いデータレートを用いなければならない。
【００３０】
このように、アクセス端末夫々について適正なデータレートを決定するための構成が必要となる。典型的なＣＤＭＡ無線通信システムは全てのアクセス端末に対して少数のデータレートを用いている。ＩＳ−９５スタンダードにより動作するシステムでは主として二つのデータレートをセットとして用いている。音声及びデータ通信を行う幾つかのＣＤＭＡ通信システムでは中央制御方式を用いており、レートを割り当てるのに必要な情報は一つの中央位置に集められ、その後各アクセス端末にレートの割り当てが返送される。この中央レート制御アルゴリズムは同じレートを全てのアクセス端末に割り当てる場合には必要としない。この中央制御の困難な点は、１）全てのアクセス端末に対して最適なレートを計算することおよび集中的に計算することが困難であること、２）アクセス端末との間で制御信号を送受信するための通信コストが高くなること、および、３）“最適”レート割り当ての有効性が、ネットワークとその機能の将来の需要に関する遅れあるいは不確実性を考慮した場合に疑問が生じること、などである。
【００３１】
従来の代表的なシステムに対してこの発明のシステムの異なる一つの点は、アクセス端末に対するデータレートの計算が個々のアクセス端末の信頼性にあることである。換言すれば、中央化の代わりに分散化されたことである。特定のアクセス端末に対する適正なデータレートはリバースリンクＭａｃアルゴリズムを用いてそのアクセス端末それ自体で決定される（ここで、Ｍａｃは多重接続通信に対する技術用語である）。リバースリンクＭａｃアルゴリズムは以下に更に説明される。
【００３２】
特定のアクセス端末がそのリバースリンクのためのデータレートを計算しているときには、そのもっとも高いレートを選択しようとするであろう。しかしながらそのセクタ内には他のアクセス端末が存在しているであろう。これらの他のアクセス端末もやはりその最も高いレートでデータ送信を行おうとしているであろう。大体において送信に必要な電力はそのデータレートに比例するから、各アクセス端末のデータレートが増えれば増えるほどその送信電力も増加する。各端末からの送信は端末相互間の干渉量を増加させる。ある地点では、データ送信を許容誤差内で行うことが不可能なほどに大きな干渉が起こることがある。
【００３３】
従って、システム内の干渉レベルに関する情報を各アクセス端末が持つことは有用なことである。干渉のレベルが比較的低いときは、アクセス端末はそのデータレートをシステムの全体的な動作に顕著な不都合が生じない程度に上げることができる。干渉のレベルが極めて高い場合にはアクセス端末のデータレートを上げることは顕著な不都合を生じることになる。
【００３４】
従って、全体の干渉のレベルは一つの実施形態ではアクセスネットワークによって検知される。アクセスネットワークは全体の干渉のレベルが閾値を越えているか下回っているかを決定するように構成されている。もしも干渉レベルが動作レベルを示す閾値より下である場合は、アクセスネットワークはリバースアクティビティビット（ＲＡＢ）をゼロにセットする。このＲＡＢは時には“ビジービット”ともいわれる。もしも干渉レベルが動作レベルを示す閾値より大きい場合には、アクセスネットワークはＲＡＢ＝１にセットする。ＲＡＢは各アクセス端末に送信され、システム中の動作/干渉レベルを通知する。
【００３５】
一つの実施形態において、全体の干渉のレベルは各アクセス端末のリバースリンク伝送の電力を合計し、伝送環境の熱叉は背景雑音のレベルによって割り算することによって計算される。つぎに、その合計値は閾値と比較される。もしもその合計値が閾値より大きい時は、干渉レベルが大きいと判断され、ＲＡＢが１にセットされる。もしも合計値が閾値より小さい場合には干渉レベルが低いと判断してＲＡＢが０にセットされる。
【００３６】
リバースリンクデータ通信の動作状態はデータレートとシステム中の干渉のレベルによるので、適正なデータレートを計算するときには干渉のレベルを考慮に入れなければならない。この発明の種々の実施形態においては、リバースリンクＭａｃアルゴリズムにおけるデータレートの計算は各アクセス端末にＲＡＢのかたちで供給される干渉のレベルを考慮に入れて行われる。このリバースリンクＭａｃアルゴリズムは更に、アクセス端末のニーズとシステムの物理的な制約などのファクタも考慮している。これらのファクタに基づいて、各アクセス端末のデータレートは各フレームで一度に計算される。
【００３７】
リバースリンクＭａｃアルゴリズムは基本的に以下のようにして計算される。
【００３８】
Ｒｎｅｗ＝ｍｉｎ（Ｒ１，Ｒ２，Ｒ３，Ｒ４），
ここで、
Ｒ１はシステムの最大のデータレート、
Ｒ２は設定最大許容送信電力に基づくアクセス端末の最大データレート、
Ｒ３は送信すべきキューデータにより規定されたデータレート、
Ｒ４はこの発明の実施形態によるＲＡＢに基づく閉ループリソース割り当てレートである。
【００３９】
これらのレートＲ１−Ｒ４のそれぞれはＲｎｅｗのハード限界を設定する。換言すれば、リバースリンクＭａｃアルゴリズムによって選択されたレートＲｎｅｗはレートＲ１−Ｒ４のいずれよりも大きくないことが必要である。
【００４０】
システムの最大データレートＲ１はアクセスネットワークおよびアクセス端末を含むシステムの設計に基づいている。このデータレートＲ１はアクセスネットワークによって設定されるが殆ど変化がなく、従って固定値と考えられる。データレートＲ1はアクセス端末にＲｎｅｗを計算するために記憶される。
【００４１】
上述したように、リバースリンクデータ伝送の電力はデータ送信のレートに殆ど比例しているので、最大電力レベルと現在のチャネル状態とに対応する最大のレートがある。電力に基づいた最大データレートＲ２はアクセス端末のリバースリンク送信の最大電力に基づき、アクセス端末の設計の関数である。実際の送信電力Ｐｍａｘは一定であるが、Ｒ２はＰｍａｘと現在のチャネル状態との関数として変化する。Ｒ２はアクセスネットワークからみたアクセス端末の信号のＳＩＮＲに関係しており、チャネルの利得と現在のデータレートとに応じて変化する。Ｒ２はアクセスネットワークから見たアクセス端末の信号のＳＩＮＲに関係し、このＳＩＮＲはチャネル利得とこの端末の現在のデータレートとにより変化する。
【００４２】
レートＲ３は送信のために待機しているアクセス端末のキュー中にあるデータにより規定されるデータレートである。Ｒ３は可変であり、フレーム毎に計算される。このＲ３の目的はアクセス端末のリバースリンクデータレートを減少することであり、これは他のアクセス端末との干渉を減少させるために送信データを少なくするか或いはゼロにするときのものである。従来ではこのＲ３は単に、単一のフレームにおけるキュー中の全てのデータを送信するのに必要なレートであった。従って、キュー中に１０２５から２０４８ビットまでのデータがあるときにはレートとして７６．８ｋｂｐｓが選択された。上述のデータレートに関する表にある通り、レート指標４では伝送データが７６．８ｋｂｐｓでは２０４８ビットが一つのフレームにおいて送信可能である。一方、もしキュー中に２０４９ビットのデータがあると、一つのフレームで全てのデータを伝送するためには１５３．６ｋｂｐｓのレート（４０９６ビット/スロット）を選択しなければならない。もしキュー中にデータがない場合には規定されるレートはゼロである。Ｒ３を計算する際にこの従来の方法を用いると、Ｒ３に対応するレートは、Ｒ３の以前の値にかかわりなく、レート指標０からレート指標５までの範囲となる。
【００４３】
閉ループリソース割り当て（ＣＬＲＡ）レートＲ４も各フレーム毎に計算される。Ｒ４の目的は、各アクセス端末のデータレートを不必要に急激に増加しないように保持することにより他のアクセス端末が保持できる干渉値以上にならないようにすることである。ＣＬＲＡレートは現在のレートおよびレートの増加、減少の変化の所定の確率に基づいている。ＣＬＲＡレートの計算に用いる確率はレートを本質的に制御してその急激な変化を抑制する。
【００４４】
ＣＬＲＡレートＲ４は以下のようにして計算される。これに関連する処理の流れが図４に示されている。
【００４５】
（１）乱数Ｖを選択する。ここで、０≦Ｖ≦１
（２）次に、
(i)もしＲＡＢ＝０ならば
Ｖ＜Ｐｉ且つＲ４＝Ｒｏｌｄ＋１
あるいはＲ４＝Ｒｏｌｄ
(ii)もしＲＡＢ＝１ならば
Ｖ＜Ｐｉ且つＲ４＝Ｒｏｌｄ−１
あるいはＲ４＝Ｒｏｌｄ
ここで、
Ｐｉは現在レートとＲＡＢとに対応する確率、
（以下の表を参照）、
Ｒｏｌｄは現在レート、
Ｒｏｌｄ＋１は現在レートの次に高いレート、および
Ｒｏｌｄ−１は現在レートの次に低いレートである。
【００４６】
種々のレート指標とＲＡＢ値に対応する確率Ｐｉは以下の表に示される。アクセス端末が新しいデータレートの計算を始めるときにはこの端末は現在のレートで送信を行っている。更にこのアクセス端末は通信を行っているアクセスネットワークからの現在のＲＡＢを受信する。この現在のレートは同じ行の確率Ｐｉを決定する。現在のＲＡＢは同じ列の確率Ｐｉを決定する。
【００４７】
一実施形態においては確率が固定されてアクセス端末中に予めプログラムされている。更に他の実施形態では、確率はアクセスネットワークにより計算されてアクセス端末にダウンロードされる。
【表１】
0004575366.tif 000002
【００４８】
この表に示された種々の値は、対応するレート指標とＲＡＢ値とを持つアクセス端末が次のレート指標に変える確率を表している。“ＲＡＢ＝０”の下の列の値はＲＡＢ＝０のときにアクセス端末が次に高いレート指標に移る確率を示している。アクセス端末は常にレート指標０からレート指標１に上がることが許されているので、レート指標０とＲＡＢ＝０とに対応する値は一つである。レート指標５とＲＡＢ＝０に対応する値は、アクセス端末がレート指標５から上に移動できないので、ゼロである。確率値Ｐ１−Ｐ４はゼロから１の間の値である。
【００４９】
“ＲＡＢ＝１”の下の列の値はＲＡＢ＝１の時にアクセス端末が次に低いレート指標に減らす確率を示している。アクセス端末はレート指標０から下に下がることはできないので、レート指標０とＲＡＢ＝１に対応する値はゼロである。アクセス端末は最も低いノンゼロレートから更に下げられることはないので、レート指標１とＲＡＢ＝１に対応する値はゼロである。確率値Ｐ５−Ｐ８はゼロと１の間の値である。
【００５０】
このようにしてＲ４の計算をすることにより、システムがノットビジー（ＲＡＢ＝０）のときにＲ４が制御されて増加し、システムがビジー（ＲＡＢ＝１）のときにＲ４が制御されて減少するようにできる。換言すれば、計算によりＲ４をジャンプアップせずにランプアップして増加し、あるいは急激に減少せずにランプダウンして減少させることになる。このランプアップ/ダウンは表１の確率によって制御される。
【００５１】
しかしながら、Ｒ4の決定は、この発明の種々の実施形態ではＲＡＢの現在値とともにＲＡＢのフィルタを通った値を考慮に入れて行われる。比較的に負荷の大きいセクタにおいてもＲＡＢの値は通常は（０）にセットされず、又はその逆となる。この場合、信号の変動と干渉のレベルとによりＲＡＢは１にセットされる代わりに０にセットされる。ＲＡＢが１にセットされる時間と０にセットされる時間との相対時間はセクタにおける負荷の指標となり、各ＡＴによって直接に計測できる。従って、フィルタを通ったＲＡＢの値はセクタの負荷の大きさを反映し、この発明の種々の実施形態において、最適レートの決定に用いられる。ＲＡＢがゼロに設定されてノットビジーを表し、セクタが重い負荷となっているときは、Ｒ4のレートの変動は抑圧され、Ｒ4が低いデータレートから高いデータレートに変移する確率とレートＲ４への移行は抑圧される。アクセス端末ではセクタの負荷に関する直接的な情報は得られないが、この発明の種々の実施形態においては、ＲＡＢの以前に受信された値とフィルタを通ったＲＡＢの値とを用いて推定することができる。ＲＡＢの現在値のみを用いた場合には、Ｒ4のレート決定アルゴリズムに許容された最も積極的な方法は現在のレートから次のレートへ即時にジャンプすることであり、これは移行確率が１にセットされている時に行われる。しかしながら、幾つかのアプリケーションにおいては、アクセス端末においてそのＲ4の値をフレーム内で数レベル増加させることが必要となり、これによりＲ4の値の“クイックスタート”が可能となる。この発明の種々の実施形態によれば、ＲＡＢのフィルタを通った値に示されたようにセクタの負荷に対するＲ4の値の決定に積極的にアクセス端末を“適応”するようにできる。この発明の種々の実施形態によれば、Ｒ4のクイックスタートはあるデータレートから一つ叉は複数上のデータレートへの移行である。
【００５２】
レートＲ１−Ｒ４は夫々のフレームで決定され、次のフレームのデータレートＲｎｅｗはこれらのレートの最小値にセットされる。ここで、ビデオ会議のアプリケーションにおける平均６０ｋｂｐｓのデータが形成される場合を考える。このデータは５００−１０００バイトパケットサイズを有し、７０−８０ミリセカンドの間隔での伝送キューで受信される。最初の状態でキューにデータがなければ（かつ伝送データレートが０であれば）、レート指標０（０ｋｂｐｓ）から１（９．６ｋｂｐｓ）までの移行に１フレーム（一つの実施形態では約２７ミリセカンド）の時間を要する。アクセス端末により用いられる特定の確率に従って、レート指標１から２（１９．２ｋｂｐｓ）までの移行には更に数フレームを必要とする。以下、同様である。伝送データレートが６０ｋｂｐｓの受信レート以上になるまでデータはキュー中に蓄積される。
【００５３】
Ｒ４を計算するための確率がレート指標を二つのフレーム毎に平均１レベル増加するようにすると、最初の５００バイトのパケットの伝送に６フレーム（１６０ミリセカンド）を要するものと思われる。このとき、このパケットの後ろに蓄積されたデータは遅延される。データ伝送レートがデータ受信レートに追い付いたとしても、少なくともデータの一部には有意の伝送遅れが発生する。ビデオ会議のようなアプリケーションにおいて、これらの遅れは許容できないものである。さらに、この実施形態では、データ伝送レートが受信レートを上回り、キュー中のデータ量が低下し始める。もしもキュー長がゼロとなると、Ｒ３もまたゼロとなり、ランプアッププロセスが開始されて、伝送の遅れが再び生じることになる。
【００５４】
データレートが順次増加することにより生じる初期遅れを避けるために、およびデータレートを再びランプアップさせる必要があるために、この発明の一実施形態のシステムではフィルタードＲＡＢを用いる。これにより、この発明の種々の実施形態において、Ｒ4をある程度積極的に決定することができる。Ｒ4の決定のために、閾値Ｔｉの番号（Ｎ）、ここで１≦ｉ≦Ｎ、および０＜Ｔ１＜Ｔ２＜・・・＜ＴＮ＜１が定義される。これらの閾値に応じてＲ4の決定のためのＮ＋１の動作モードがある。これらのモードの違いは伝送確率ベクトルとＲ4の決定のための最大レート移行ステップである。動作モードはフィルタを通ったＲＡＢ（ｆＲＡＢ）の値に基づいて選択することができる。ＲＡＢの値は固定叉は可変時定数のデジタルフィルタに供給される。フィルタの時定数に対応する一定時間に受信されたＲＡＢの値は蓄積される。Ｒ4を決定するための動作モードはｆＲＡＢの値に基づいている。動作モードをＭｉとすると、動作モードは閾値Ｔｉと比較されるｆＲＡＢの値に基づいて選択される。例えば、図５に示すように、Ｒ4の計算のための動作モードを決定するためのアルゴリズムがこの発明の種々の実施形態に従って実行される。受信されたＲＡＢの値は図３のＡＴ中のフィルタに蓄積される。プロセッサ４２はこのフィルタを実現するためのメモリユニットを含む。図５のアルゴリズムは以下のように記載することができる。
もし０≦ｆＲＡＢ＜Ｔ１なら、ｍ１中のＲＬＭａｃを選択する。
もしＴｉ−１≦ｆＲＡＢ＜Ｔｉなら、ｍｉ中のＲＬＭａｃを選択する。
但し２≦ｉ＜Ｎである。
もしＴＮ≦ｆＲＡＢ＜１なら、ｍＮ＋１中のＲＬＭａｃを選択する。
更に積極的な動作モードがｆＲＡＢのより低い値に対して用いられる。例えば、モードｍ１は最も積極的なモードであり、Ｒ4の値がデータレートを数個のフレーム間で複数レベル高い他のデータレートに移行させる。その上、Ｒ4伝送のための上側のデータレートに対してより高い確率がｆＲＡＢのより低い値に対応する。このことは、ＲＡＢがセットされてなく、かつ適当なデータが有効であるときにＡＴがその伝送レートを高い確率で増加させることができることを意味する。ダウンワード伝送確率も低く、従って、ＲＡＢがセットされているときはＡＴはその伝送レートを低下させる可能性は低い。
【００５５】
もし０≦ｆＲＡＢ＜Ｔ１なら、ｍ１中のＲＬＭａｃを選択する。
【００５６】
もしＴｉ−１≦ｆＲＡＢ＜Ｔｉなら、ｍｉ中のＲＬＭａｃを選択する。
【００５７】
但し２≦ｉ＜Ｎである。
【００５８】
もしＴＮ≦ｆＲＡＢ＜１なら、ｍＮ＋１中のＲＬＭａｃを選択する。
【００５９】
更に積極的な動作モードがｆＲＡＢのより低い値に対して用いられる。例えば、モードｍ１は最も積極的なモードであり、Ｒ４の値がデータレートを数個のフレーム間で複数レベル高い他のデータレートに移行させる。その上、Ｒ４伝送のための上側のデータレートに対してより高い確率がｆＲＡＢのより低い値に対応する。このことは、ＲＡＢがセットされてなく、かつ適当なデータが有効であるときにＡＴがその伝送レートを高い確率で増加させることができることを意味する。ダウンワード伝送確率も低く、従って、ＲＡＢがセットされているときはＡＴはその伝送レートを低下させる可能性は低い。
【００６０】
一実施形態においては、合計２個の閾値（Ｎ＝２）と３個のモードとがある。モード２とモード３とは一つのレベルにつき伝送レートの向上を可能とし、モードｍ1においては３個のモードの内でもっとも積極的な動作を持つ。これにより、最も低いレートから複数レベル上の指定された高いレートでの伝送を即時にできるようになる。例えば、モードｍ1が選択され、このとき最後のＲＡＢがセットされない（セクタがノットビジー）でかつ適切なデータが存在するときは、ＡＴでは０ｋｂｐｓから３８．４ｋｂｐｓまたは１９．２ｋｂｐｓへの即時の伝送レート上昇が可能である。他の実施形態では、モードｍ1が選択され、このとき最後のＲＡＢがセットされない（セクタがノットビジー）でかつ適切なデータが存在するときは、ＡＴではいかなるレートから７６．８ｋｂｐｓまたは１５３．６ｋｂｐｓへの即時の伝送レート上昇が可能である。
【００６１】
幾つかのアプリケーションにおいて、アクセス端末はデータを突発的に伝送するのみでその他の時間にはアイドル状態（いかなるデータも送信しない）に維持されるアプリケーションで動作している。このようなアクセス端末に対しては、データレートを早急に高いレートに移行させ、データバーストの伝送を終了させて次のデータバーストがくるまではアイドルに保持されるようにすることが望ましい。このため、Ｒ4を決定するための種々のモードを持つ多くの発明の実施形態を用いることができる。ここで、選択されたモードはＲＡＢのフィルタを通った値に基づいている。長い時間アイドル状態であるアクセス端末に対しては、Ｒ4の計算のためのモードを選択するために図６に示したアルゴリズムを用いることができる。図５と図６に示したアルゴリズムの主な相違点は、ＲＡＢフィルタに供給されるデータビットに関係している。アクセス端末がデータを送信しているときは、アクセスポイントから受信したＲＡＢの値はフィルタに供給される。もしアクセス端末からデータが送信されていないときは、ＲＡＢフィルタには“０”にセットされたＲＡＢ値が供給される。フィルタの出力は動作モードを決定するために用いられる。この場合、アイドルモードのアクセス端末は新しくデータを受信するとＲ4を計算するためにアグレッシブモードで動作させられる。基本的に、これはセクタが無負荷であって、データが存在するときにＡＴにおいてデータレートの上昇を積極的に行うことが可能であることを必要とする。アイドル状態のアクセス端末におけるデータ受信動作は通常は非相関状態であるから、このような突発性の積極的な動作は安定な動作を維持するために制御することができる。
【００６２】
以上の説明はこの発明を主として方法の実施形態に適用した場合であるが、他の実施形態も可能である。例えば、一つの実施形態では、上述したように、データにより規定されたレートの低下を制限するようにアクセス端末が構成される。この実施形態は伝送サブシステムに結合されたプロセッサを有する。この実施形態のプロセッサは、これに結合されたメモリに格納された閾値データと、確率データと、ディケイファクタデータ等を用いて、フレーム毎にリバースリンク用のデータレートを計算するように構成される。このプロセッサは次に計算されたデータレートを含む制御情報を伝送サブシステムに出力し、これからキューデータがアクセスネットワークに送信される。アクセス端末の構成要素は実施形態毎に異なる内容となることは勿論である。
【００６３】
更に他の実施形態では上述したようにランプアップ制限レートが急激に増加するように構成されたアクセス端末を有する。この実施形態も伝送サブシステムに結合されたプロセッサを有する。この実施形態におけるプロセッサは、これに結合されたメモリに格納された閾値データと、確率データと、過去のデータレート情報等を用いて、フレーム毎にリバースリンク用のデータレートを計算するように構成される。このプロセッサは次に計算されたデータレートを含む制御情報を伝送サブシステムに出力し、これからキューデータがアクセスネットワークに送信される。ここでも、アクセス端末の構成要素は実施形態毎に異なる内容となることは勿論である。
【００６４】
更に他の実施形態はソフトウエアアプリケーションを有するようにできる。この実施形態のソフトウエアアプリケーションは、伝送されるデータキューの量と、システムの干渉レベル（例えばＲＡＢを介した）と、閾値データと、確率データと、ディケイファクタデータと、他の色々なデータとに関する情報を受信し、アクセス端末からデータを送信するときの制限された減少データレートを計算するように構成される。他の実施形態において、ソフトウエアアプリケーションは、通信システムがビジーであるか否か、データレートが増加するか減少するかの確率、過去のデータレート等を示す情報を受信し、アクセス端末からアクセスネットワークへのデータ伝送の急増データレートを計算するように構成される。ソフトウエアアプリケーションはコンピュータ叉は他のデータプロセッサにより読み取り可能な色々な形式の媒体、例えばフロッピーディスク、ハードディスクドライブ、ＣＤ−ＲＯＭ、ＤＶＤ−ＲＯＭ、ＲＡＭ、またはＲＯＭなど、に記録することができる。
【００６５】
この発明の利点と効果とは以上の記述では特定の実施形態について説明されている。これらの利点と効果、およびこれらを生み出しまたは更に明確に表す要素と限定は、請求項のいずれかまたは全ての請求項の境界、要求または本質的な特徴を何ら制限するものではない。ここで用いられている用語の「有する」、「具備する」または他のいかなる言い換えも、これらの用語に続く要素や限定を含んで何ら限定的に解釈されることを意図するものではない。従って、ここに述べられた一組の要素を具えたシステム、方法、又は他の実施形態はこれらの要素に限定されることはなく、請求項に記載された実施形態に明確に記載がなくまたはこれらに特有な他の要素も含み得る。
【００６６】
この発明は特定の実施形態に沿って説明したが、これらの実施形態は単なる例示に過ぎず、発明の範囲はこれらの実施形態に限定されないことは勿論である。ここに説明された実施形態についての多くの変形、変換、付加、改良が可能である。これらの変形、変換、付加、改良などは以下の請求の範囲に詳細に述べられているこの発明の範囲内に包含されることは勿論である。
【図面の簡単な説明】
【００６７】
【図１】この発明の種々の形態により動作可能の無線通信システムの一部を示す図である。
【図２】この発明の種々の形態により動作可能の無線通信システムの二つの隣接セクタ中のアクセスネットワークとアクセス端末とをより詳細に示す図である。
【図３】この発明の種々の形態により動作可能のアクセス端末の構成を示す機能ブロック図である。
【図４】この発明の種々の形態により閉ループリソース割り当てレートが決定される方法を示すフローチャートである。
【図５】データレートを増加叉は減少させるための特定のアグレッシブネスレベルを夫々持つリバースリンクのデータレートを決定するための種々のモードを決定する方法を示すフローチャートである。
【図６】データレートを増加叉は減少させるための特定のアグレッシブネスレベルを夫々持つリバースリンクのデータレートを決定するための種々のモードを決定する方法を示すフローチャートである。特に、このフローチャートではアクセス端末（ＡＴ）がアイドル状態である場合を示している。
【図１】
0004575366.tif 000003
【図２】
0004575366.tif 000004
【図３】
0004575366.tif 000005
【図４】
0004575366.tif 000006
【図５】
0004575366.tif 000007
【図６】
0004575366.tif 000008